(57)【特許請求の範囲】
【請求項１】
ガス発生手段において給気路を通じ供給されるキャリア空気中で過酸化水素水溶液を蒸発させて過酸化水素ガスを発生させ、
このガス発生手段で発生させた過酸化水素ガスを除染用ガスとしてキャリア空気とともにガス搬送路を通じ除染対象室に供給して除染対象室を除染する除染方法であって、
除染対象室を加熱する加熱手段を設けておき、
前記ガス発生手段での過酸化水素ガスの発生量を調整して除染対象室における過酸化水素ガス濃度を目標濃度に調整するとともに、
除染対象室の計測絶対湿度と前記目標濃度とに基づき、計測絶対湿度状態でかつ過酸化水素ガス濃度が前記目標濃度である状態での除染対象室における過酸化水素ガスの凝縮温度を演算して、
その演算凝縮温度に基づき前記加熱手段の加熱出力を調整することで、除染対象室の温度を演算凝縮温度より高い温度に調整する除染方法。
【請求項２】
キャリア空気として新鮮空気のみを前記給気路を通じ前記ガス発生手段に供給し、
前記ガス発生手段で発生させた過酸化水素ガスをキャリア空気としての新鮮空気とともに前記ガス搬送路を通じて除染対象室に供給するのに伴い、その供給風量にほぼ等しい風量の除染対象室の室内空気を排気路を通じて外部に排出することで、キャリア空気としての新鮮空気を除染対象室に対して一過的に通過させる請求項１記載の除染方法。
【請求項３】
給気路を通じ供給されるキャリア空気中で過酸化水素水溶液を蒸発させて過酸化水素ガスを発生させるガス発生手段を備え、
このガス発生手段で発生させた過酸化水素ガスを除染用ガスとしてキャリア空気とともにガス搬送路を通じ除染対象室に供給して除染対象室を除染する除染システムであって、
除染対象室を加熱する加熱手段と、除染対象室の絶対湿度を計測する湿度計測手段と、除染対象室の温度を計測する温度計測手段とを設け、
前記ガス発生手段での過酸化水素ガスの発生量を調整して除染対象室における過酸化水素ガス濃度を目標濃度に調整する濃度制御手段を設けるとともに、
前記湿度計測手段による計測絶対湿度と前記目標濃度とに基づき、計測絶対湿度状態でかつ過酸化水素ガス濃度が前記目標濃度である状態での除染対象室における過酸化水素ガスの凝縮温度を演算して、その演算凝縮温度と前記温度計測手段による計測温度とに基づき前記加熱手段の加熱出力を調整することで、除染対象室の温度を演算凝縮温度より高い温度に調整する温度制御手段を設けてある除染システム。
【請求項４】
前記給気路は、キャリア空気として新鮮空気のみを前記ガス発生手段に供給する風路にし、
前記ガス発生手段で発生させた過酸化水素ガスをキャリア空気としての新鮮空気とともに前記ガス搬送路を通じて除染対象室に供給するのに伴い、その供給風量とほぼ等しい風量の除染対象室の室内空気を外部に排出する排気路を設けて、キャリア空気としての新鮮空気を除染対象室に対して一過的に通過させる構成にしてある請求項３記載の除染システム。
【請求項５】
前記温度制御手段は、演算凝縮温度よりも見込み温度差だけ高い温度を目標温度として、前記温度計測手段による計測温度に基づき前記加熱手段の加熱出力を調整することで除染対象室の温度を前記目標温度に調整する構成にしてある請求項３又は４記載の除染システム。
【請求項６】
前記温度制御手段は、前記湿度計測手段による計測絶対湿度が低いほど、前記見込み温度差を大きくする構成にしてある請求項５記載の除染システム。
【請求項７】
除染対象室の絶対湿度と、除染対象室における過酸化水素ガス濃度と、除染対象室における過酸化水素ガスの凝縮温度との三者の相関データを記憶させた記憶手段を設け、
前記温度制御手段は、前記湿度計測手段による計測絶対湿度と前記目標濃度とを前記相関データに照合する形態で、計測絶対湿度状態でかつ過酸化水素ガス濃度が前記目標濃度にある状態での除染対象室における過酸化水素ガスの凝縮温度を演算する構成にしてある請求項３〜６のいずれか１項に記載の除染システム。
【請求項８】
前記加熱手段が、前記給気路を通じ前記ガス発生手段に供給するキャリア空気を加熱するキャリア空気加熱手段である請求項３〜７のいずれか１項に記載の除染システム。
【請求項９】
前記ガス発生手段は、過酸化水素水溶液を圧縮空気とともにキャリア空気中に噴出することで、噴出した過酸化水素水溶液を微細化してキャリア空気中で蒸発させる構成にしてある請求項３〜８のいずれか１項に記載の除染システム。
【発明の詳細な説明】
【技術分野】
【０００１】
本発明は、ガス発生手段において給気路を通じ供給されるキャリア空気中で過酸化水素水溶液を蒸発させて過酸化水素ガスを発生させ、このガス発生手段で発生させた過酸化水素ガスを除染用ガスとしてキャリア空気とともにガス搬送路を通じ除染対象室に供給して除染対象室を除染する除染方法、及び、その除染方法の実施に用いる除染システムに関する。
【０００２】
詳しくは、除染用ガスとして過酸化水素ガスを用いる除染には、キャリア空気とともに除染対象室に供給した過酸化水素ガス（即ち、過酸化水素蒸気）を除染対象室において凝縮させる湿式除染と、キャリア空気とともに除染対象室に供給した過酸化水素ガスを除染対象室おいて凝縮させずに気相状態に維持する乾式除染とがあるが、本発明は特に乾式除染に関し、過酸化水素ガスを除染対象室において凝縮させないことで、腐食性の高い過酸化水素ガス凝縮液による室内物の腐食を抑止しながら除染対象室を除染する除染方法及びその除染方法の実施に用いる除染システムに関する。
【背景技術】
【０００３】
従来、この種の除染（特に乾式除染）に関して、ガス発生手段において過酸化水素水溶液をキャリア空気中で蒸発させて過酸化水素ガスを発生させるのに対し、そのガス発生手段に供給するキャリア空気を除湿する除湿手段及びそのキャリア空気を加熱する加熱手段を設けるとともに、ガス発生手段で発生させた過酸化水素ガスをキャリア空気とともに搬送するガス搬送路に複数の温度計測手段をガス搬送方向に並べて配備し、これら温度計測手段よる計測温度の差に基づき加熱手段を調整する除染システムが提案されている（特許文献１参照）。
【０００４】
つまり、この除染システムでは、キャリア空気を除湿及び加熱することで、ガス発生手段での過酸化水素水溶液の蒸発を促進し、また、複数の温度計測手段による計測温度の差に基づき過酸化水素水溶液が完全に蒸発したか否かを判定して、完全に蒸発していない場合には加熱手段によるキャリア空気の加熱温度を上昇させることで、過酸化水素水溶液を完全に蒸発させるようにしている。
【先行技術文献】
【特許文献】
【０００５】
【特許文献１】特開２００３−３３９８２９
【発明の概要】
【発明が解決しようとする課題】
【０００６】
しかし、上記した従来システムでは、キャリア空気を除湿するものの、ガス発生手段での過酸化水素水溶液の蒸発に伴う水分発生（即ち溶媒水の蒸発）や、発生後における過酸化水素ガスの分解による水分発生（即ち、２Ｈ2Ｏ2→２Ｈ2Ｏ＋Ｏ2で示される水分発生）などが除染対象室における絶対湿度を上昇させる要因になり、殊に、除染対象室の室内空気を循環路を通じて循環させる構成において、ガス発生手段で発生させた過酸化水素ガスをキャリア空気とともにガス搬送路を通じて上記循環路における循環室内空気に供給するガス供給形態を採る空気循環式の除染システムでは、上記の如く発生した水分が循環系内に蓄積されていくため、除染対象室における絶対湿度の上昇傾向が特に強い。
【０００７】
これに対し、過酸化水素ガスは、図２の湿り空気線図におけるｃ１の等濃度線やｃ２の等濃度線に示されるように、濃度が同じでも除染対象室における絶対湿度ｘが高いほど凝縮温度ｔｄが高くなって凝縮し易くなり、この為、上記した従来システムでは、ガス搬送路において過酸化水素水溶液を完全に蒸発させた状態にし得るとしても、上記の如き水分発生による除染対象室の絶対湿度上昇が原因で除染対象室において過酸化水素ガスの凝縮が生じる虞があり、乾式除染の安定性及び信頼性が低い問題があった。
【０００８】
しかも、上記した従来システムでは、キャリア空気を除湿する除湿手段を装備するため、システムが大型化するとともに、イニシャルコスト及びランニングコストが高く付く問題もあり、特に、除染対象室の絶対湿度上昇に原因する過酸化水素ガスの凝縮をキャリア空気の除湿により防止しようとすれば、上記の如き水分発生に対して十分に対応し得るだけの余裕のある大きな除湿能力の除湿手段が必要になり、そのことでシステムが一層大型化するとともに、イニシャルコスト及びランニングコストが一層高く付く問題があった。
【０００９】
この実情に鑑み、本発明の主たる課題は、合理的な制御方式を採用することで上記の如き問題を効果的に解消する点にある。
【課題を解決するための手段】
【００１０】
本発明の第１特徴構成は除染方法に係り、その特徴は、
ガス発生手段において給気路を通じ供給されるキャリア空気中で過酸化水素水溶液を蒸発させて過酸化水素ガスを発生させ、
このガス発生手段で発生させた過酸化水素ガスを除染用ガスとしてキャリア空気とともにガス搬送路を通じ除染対象室に供給して除染対象室を除染する除染方法であって、
除染対象室を加熱する加熱手段を設けておき、
前記ガス発生手段での過酸化水素ガスの発生量を調整して除染対象室における過酸化水素ガス濃度を目標濃度に調整するとともに、
除染対象室の計測絶対湿度と前記目標濃度とに基づき、計測絶対湿度状態でかつ過酸化水素ガス濃度が前記目標濃度である状態での除染対象室における過酸化水素ガスの凝縮温度を演算して、
その演算凝縮温度に基づき前記加熱手段の加熱出力を調整することで、除染対象室の温度を演算凝縮温度より高い温度に調整する点にある。
【００１１】
つまり、除染対象室における過酸化水素ガスの凝縮温度ｔｄは、図２に示す如く除染対象室の絶対湿度ｘと除染対象室における過酸化水素ガス濃度ｃとから求めることができ、除染対象室における絶対湿度ｘ及び過酸化水素ガス濃度ｃの夫々がある値にある状態において、その状態での過酸化水素ガスの凝縮温度ｔｄより除染対象室の温度ｔの方が高ければ、その状態の除染対象室では過酸化水素ガスの凝縮は基本的に生じない。
【００１２】
したがって、上記除染方法によれば、除染対象室における過酸化水素ガス濃度を目標濃度に調整することに対し、計測絶対湿度状態でかつ過酸化水素ガス濃度が目標濃度にある状態での除染対象室における過酸化水素ガスの凝縮温度を演算して、加熱手段の加熱出力を調整することで除染対象室の温度を演算凝縮温度より高い温度に調整するから、除染対象室において過酸化水素ガスの凝縮が生じることをほぼ確実に防止することができ、これにより、乾式除染の安定性及び信頼性を高めることができる。
【００１３】
また、このように除染対象室の温度調整をもって除染対象室での過酸化水素ガスの凝縮を防止するから、キャリア空気を除湿する除湿手段を不要にする、ないしは、装備するにしても小能力の除湿手段で済ませることができ、これにより、除染システムを小型化するとともに、イニシャルコスト及びランニングコストストを効果的に低減することができる。
【００１４】
本発明の第２特徴構成は、第１特徴構成の除染方法に係り、その特徴は、
キャリア空気として新鮮空気のみを前記給気路を通じ前記ガス発生手段に供給し、
前記ガス発生手段で発生させた過酸化水素ガスをキャリア空気としての新鮮空気とともに前記ガス搬送路を通じて除染対象室に供給するのに伴い、その供給風量にほぼ等しい風量の除染対象室の室内空気を排気路を通じて外部に排出することで、キャリア空気としての新鮮空気を除染対象室に対して一過的に通過させる点にある。
【００１５】
この除染方法によれば、ガス発生手段での過酸化水素水溶液の蒸発に伴う発生水分や、発生後における過酸化水素ガスの分解による発生水分を、除染対象室に対し一過的に通過させる新鮮空気により除染対象室から効率的に排除することができて、これら発生水分に原因する除染対象室の絶対湿度上昇を効果的に抑止することができる。
【００１６】
そして、このように除染対象室における絶対湿度ｘの上昇を抑止し得ることで（図２参照）、除染対象室における過酸化水素ガスの凝縮温度ｔｄを低くすることができ、これにより、除染対象室の温度ｔを演算凝縮温度ｔｄより高い温度に調整するのに要する加熱手段の消費エネルギを小さくしながら、また、キャリア空気を除湿する除湿手段を不要化ないし小能力化しながらも、除染対象室での過酸化水素ガスの凝縮を前述した除染対象室の温度調整と上記の如き新鮮空気の一過的通過とで一層確実に防止することができる。
【００１７】
なお、図３において、太い実線グラフ及び太い破線グラフは、この第２特徴構成の除染方法での除染対象室における過酸化水素ガス濃度ｃの変化、及び、除染対象室における絶対湿度ｘの変化を示す。
【００１８】
また、細い実線グラフ及び細い破線グラフは、除染対象室の室内空気を循環路を通じて循環させる構成において、ガス発生手段で発生させた過酸化水素ガスをキャリア空気とともにガス搬送路を通じて循環路における循環室内空気に供給するガス供給形態（即ち、供給した過酸化水素ガス及びキャリア空気夫々の少なくとも一部を除染対象室に対して循環させる形態）を採る空気循環式の除染方法での除染対象室における過酸化水素ガス濃度ｃ′の変化、及び、除染対象室における絶対湿度ｘ′の変化を示す。
【００１９】
この図３のグラフからも、この第２特徴構成の除染方法によれば、除染対象室における絶対湿度ｘの上昇を効果的に抑止し得ることが判る。
【００２０】
この除染方法の実施において、キャリア空気とする新鮮空気は、除染対象室の除染に悪影響を与えず、また、前記の如き水分発生に対して除染対象室の絶対湿度上昇を防止し得る空気であれば、外気や屋内空気あるいは浄化空気を問わず、どのような新鮮空気であってもよい。
【００２１】
また、この第２特徴構成の除染方法では、キャリア空気として新鮮空気を除染対象室に対し一過的に通過させるが、第１特徴構成の除染方法を実施するにあたっては、除染対象室の室内空気を循環路を通じて循環させる構成において、ガス発生手段で発生させた過酸化水素ガスをキャリア空気とともにガス搬送路を通じて上記循環路における循環室内空気に供給するガス供給形態（即ち、供給した過酸化水素ガス及びキャリア空気夫々の少なくとも一部を除染対象室に対して循環させる形態）を採用してもよい。
【００２２】
また、その場合は、新鮮空気をキャリア空気としてガス発生手段に供給し、その新鮮空気を発生過酸化水素ガスとともにガス搬送路を通じて循環路における循環室内空気に供給するのに対し、その供給風量とほぼ等しい風量の循環室内空気を排気路を通じて外部に排出するようにし、このガス供給形態において循環室内空気の循環風量中における供給新鮮空気の風量比率をできるだけ大きくするのが望ましい。
【００２３】
本発明の第３特徴構成は除染システムに係り、その特徴は、
給気路を通じ供給されるキャリア空気中で過酸化水素水溶液を蒸発させて過酸化水素ガスを発生させるガス発生手段を備え、
このガス発生手段で発生させた過酸化水素ガスを除染用ガスとしてキャリア空気とともにガス搬送路を通じ除染対象室に供給して除染対象室を除染する除染システムであって、
除染対象室を加熱する加熱手段と、除染対象室の絶対湿度を計測する湿度計測手段と、除染対象室の温度を計測する温度計測手段とを設け、
前記ガス発生手段での過酸化水素ガスの発生量を調整して除染対象室における過酸化水素ガス濃度を目標濃度に調整する濃度制御手段を設けるとともに、
前記湿度計測手段による計測絶対湿度と前記目標濃度とに基づき、計測絶対湿度状態でかつ過酸化水素ガス濃度が前記目標濃度である状態での除染対象室における過酸化水素ガスの凝縮温度を演算して、その演算凝縮温度と前記温度計測手段による計測温度とに基づき前記加熱手段の加熱出力を調整することで、除染対象室の温度を演算凝縮温度より高い温度に調整する温度制御手段を設けてある点にある。
【００２４】
この除染システムによれば、濃度制御手段より除染対象室における過酸化水素ガス濃度が目標濃度に調整されることに対し、温度制御手段により、計測絶対湿度状態でかつ過酸化水素ガス濃度が目標濃度にある状態での除染対象室における過酸化水素ガスの凝縮温度が演算されて、除染対象室の温度が演算凝縮温度より高い温度に調整されるから、前述した第１特徴構成の除染方法を容易かつ安定的に実施することができる。
【００２５】
本発明の第４特徴構成は、第３特徴構成の除染システムに係り、その特徴は、
前記給気路は、キャリア空気として新鮮空気のみを前記ガス発生手段に供給する風路にし、
前記ガス発生手段で発生させた過酸化水素ガスをキャリア空気としての新鮮空気とともに前記ガス搬送路を通じて除染対象室に供給するのに伴い、その供給風量とほぼ等しい風量の除染対象室の室内空気を外部に排出する排気路を設けて、キャリア空気としての新鮮空気を除染対象室に対して一過的に通過させる構成にしてある点にある。
【００２６】
この除染システムによれば前述した第２特徴構成の除染方法を実施することができる。
【００２７】
本発明の第５特徴構成は、第３又は第４特徴構成の除染システムに係り、その特徴は、
前記温度制御手段は、演算凝縮温度よりも見込み温度差だけ高い温度を目標温度として、前記温度計測手段による計測温度に基づき前記加熱手段の加熱出力を調整することで除染対象室の温度を前記目標温度に調整する構成にしてある点にある。
【００２８】
つまり、除染対象室の温度（即ち、室内空気の温度）が過酸化水素ガスの凝縮温度より高く調整されている状態でも、室壁の表面や室内物品の表面などで、その表面温度が過酸化水素ガスの凝縮温度より低い箇所が除染対象室において局所的に存在する場合、その箇所において過酸化水素ガスの凝縮が局所的に生じる虞がある。
【００２９】
また、キャリア空気として外気を用いる場合には外気の湿度変動に伴い除染対象室の絶対湿度が変動し、その絶対湿度の変動により過酸化水素ガスの凝縮温度が変動することに対し、加熱手段の加熱出力調整による除染対象室の温度調整が遅れることで、除染対象室において過酸化水素ガスの凝縮が不測に生じる虞もある。
【００３０】
これに対し、この除染システムによれば、見込み温度差として、除染対象室の温度と除染対象室における各部表面温度との温度差や、外気の湿度変動に原因する除染対象室における過酸化水素ガス凝縮温度の変動幅などを考慮した適当な温度差を設定しておけば、上記の如き表面温度が低い箇所での過酸化水素ガスの局所的な凝縮や、外気の湿度変動に原因する過酸化水素ガスの不測の凝縮を防止することができる。
【００３１】
即ち、このことにより、キャリア空気を除湿する除湿手段を不要化ないし小能力化しながらも、除染対象室での過酸化水素ガスの凝縮をさらに確実に防止することができて、乾式除染の安定性及び信頼性を一層高めるとともに、過酸化水素水溶液の消費量も一層低減することができる。
【００３２】
本発明の第６特徴構成は、第５特徴構成の除染システムに係り、その特徴は、
前記温度制御手段は、前記湿度計測手段による計測絶対湿度が低いほど、前記見込み温度差を大きくする構成にしてある点にある。
【００３３】
つまり、図２に示す如く、除染対象室における絶対湿度ｘの変動幅Δｘが同じでも、その絶対湿度ｘの変動に伴う過酸化水素ガス凝縮温度ｔｄの変動幅Δｔｄは、除染対象室の絶対湿度ｘが低いほど大きくなる。
【００３４】
したがって、除染対象室の計測絶対湿度が低いほど見込み温度差を大きくする上記除染システムによれば、除染対象室における絶対湿度の高低にかかわらず、除染対象室での過酸化水素ガスの凝縮を確実に防止しながらも、見込み温度差として余裕をもった一定の大きな温度差を採用するのに比べ、除染対象室の絶対湿度が高いほど見込み温度差を小さくして除染対象室の目標温度を低くすることができ、その分、加熱手段の消費エネルギを一層小さくすることができて、ランニングコストを一層低減することができる。
【００３５】
本発明の第７特徴構成は、第３〜第６特徴構成のいずれかの除染システムに係り、その特徴は、
除染対象室の絶対湿度と、除染対象室における過酸化水素ガス濃度と、除染対象室における過酸化水素ガスの凝縮温度との三者の相関データを記憶させた記憶手段を設け、
前記温度制御手段は、前記湿度計測手段による計測絶対湿度と前記目標濃度とを前記相関データに照合する形態で、計測絶対湿度状態でかつ過酸化水素ガス濃度が前記目標濃度にある状態での除染対象室における過酸化水素ガスの凝縮温度を演算する構成にしてある点にある。
【００３６】
この除染システムによれば、除染対象室における過酸化水素ガス濃度の目標濃度として種々の濃度が選択されるとしても、その過酸化水素ガス濃度の目標濃度と除染対象室の計測絶対湿度とを上記相関データに照合することにより、計測絶対湿度状態でかつ過酸化水素ガス濃度が目標濃度にある状態での除染対象室における過酸化水素ガスの凝縮温度を容易かつ的確に演算することができ、これにより、過酸化水素ガス濃度の目標濃度選択を任意にしてシステムの汎用性を高めることができる。
【００３７】
本発明の第８特徴構成は、第３〜第７特徴構成のいずれかの除染システムに係り、その特徴は、
前記加熱手段が、前記給気路を通じ前記ガス発生手段に供給するキャリア空気を加熱するキャリア空気加熱手段である点にある。
【００３８】
この除染システムによれば、キャリア空気加熱手段により加熱したキャリア空気をガス発生手段を経て除染対象室に供給することで除染対象室を加熱するのに併行して、そのキャリア空気加熱手段によるキャリア空気の加熱をもって、ガス発生手段での過酸化水素水溶液の蒸発も効果的に促進することができる。
【００３９】
そしてまた、除染対象室を加熱する除染対象室専用の加熱手段をキャリア空気加熱手段とは別に装備するのに比べ、システム構成を簡略化することができる。
【００４０】
本発明の第９特徴構成は、第３〜第８特徴構成のいずれかの除染システムに係り、その特徴は、
前記ガス発生手段は、過酸化水素水溶液を圧縮空気とともにキャリア空気中に噴出することで、噴出した過酸化水素水溶液を微細化してキャリア空気中で蒸発させる構成にしてある点にある。
【００４１】
つまり、過酸化水素水溶液をキャリア空気中で蒸発させて過酸化水素ガスを発生させるガス発生手段としては、過酸化水素水溶液を高温加熱容器に滴下して蒸発させる滴下加熱方式のものや、過酸化水素水溶液を含浸材に含浸させた状態でキャリア空気に晒すことで蒸発させる含浸方式のもの、あるいは、過酸化水素水溶液をキャリア空気に対して散水することで蒸発させる散水方式のものなど、種々の方式のものが考えられる。
【００４２】
しかし、過酸化水素水溶液を圧縮空気とともにキャリア空気中に噴出することで蒸発させる上記の如き２流体噴出方式のガス発生手段であれば、噴出した過酸化水素水溶液をそれとともに噴出した圧縮空気により効果的に微細化することができて、その微細化により過酸化水素水溶液をキャリア空気中において効率的に蒸発させることができる。
【００４３】
そして、このように過酸化水素水溶液を効率的に蒸発させながらも、例えば滴下加熱方式などに比べ発生直後における過酸化水素ガスの熱分解によるロスも効果的に回避することができ、これにより、前述の如く除染対象室の温度調整により過酸化水素ガスの凝縮を防止することとも相俟って、過酸化水素水溶液の消費量を一層低減することができて、ランニングコストを一層安価にすることができる。
【図面の簡単な説明】
【００４４】
【図１】除染システムの構成図
【図２】濃度と湿度と温度との関係を示すグラフ
【図３】濃度及び湿度の変化を示すグラフ
【発明を実施するための形態】
【００４５】
図１は乾式除染システムを示し、１はガス発生手段としてのガス発生器であり、このガス発生器１では、給気路２を通じて供給されるキャリア空気ＣＡ中で過酸化水素水溶液Ｌ（例えば、過酸化水素濃度が２５％〜３５％の過酸化水素水溶液）を蒸発させて過酸化水素ガスＧを発生させる。
【００４６】
即ち、この乾湿除染システムでは、このガス発生器１で発生させた過酸化水素ガスＧ（換言すれば、過酸化水素水素蒸気）を除染用ガスとしてキャリア空気ＣＡとともに搬送ファン３によりガス搬送路４を通じ除染対象室５に供給することで、その除染対象室５を乾式除染する。
【００４７】
給気路２を通じてガス発生器１に供給するキャリア空気ＣＡとしては、外部から導入した新鮮外気ＯＡを用いるようにしてあり、また、給気路２には、キャリア空気ＣＡとしての新鮮外気ＯＡを加熱するキャリア空気加熱手段としての空気加熱器６を装備してある。      
【００４８】
過酸化水素ガスＧを発生させるのに、ガス発生器１には、過酸化水素水溶液Ｌを貯留する液タンク７からの給液路８及び圧縮空気路９を接続した２流体噴出式の噴出器１０を備えさせてあり、この噴出器１０により、液タンク７から給液路８を通じて供給される過酸化水素水溶液Ｌを圧縮空気路９から供給される圧縮空気ＰＡとともに空気加熱器６により加熱されたキャリア空気ＣＡ中に噴出することで、噴出した過酸化水素水溶液Ｌを噴出圧縮空気ＰＡにより効果的に微細化して、噴出過酸化水素水溶液Ｌのキャリア空気ＣＡ中での蒸発を促進する。
【００４９】
また、この２流体噴出式の噴出器１０により過酸化水素ガスＧを発生させることで、発生直後における過酸化水素ガスＧの熱分解を抑止し、これにより、過酸化水素水溶液Ｌの消費量を低減するとともに、その熱分解（２Ｈ2Ｏ2→２Ｈ2Ｏ＋Ｏ2）に伴う水分発生も抑止する。
【００５０】
なお、給液路８には、噴出器１０に対する過酸化水素水溶液Ｌの供給流量を調整する流量調整弁８ａを介装してあり、また、圧縮空気路９には、噴出器１０に対する圧縮空気ＰＡの供給風量を調整する流量調整弁９ａを介装してある。
【００５１】
除染対象室５には、ガス搬送路４とともに排気路１１を接続してあり、ガス搬送路４を通じて過酸化水素ガスＧがキャリア空気ＣＡとしての新鮮外気ＯＡとともに供給されるのに併行して、この排気路１１を通じ除染対象室５の室内空気ＲＡを排気ファン１２により外部に排出する。
【００５２】
また、この乾式除染システムには、除染対象室５における過酸化水素ガス濃度ｃを計測する濃度計測手段として濃度計測器１３、除染対象室５における絶対湿度ｘを計測する湿度計測手段としての湿度計測器１４、除染対象室５の温度ｔ（室内空気の温度）を計測する温度計測手段としての温度計測器１５、並びに、これら計測器１３〜１５による計測情報（ｃ，ｘ，ｔ）に基づいて除染運転を制御する制御器１６を装備してある。
【００５３】
また、この制御器１６における記憶手段としての記憶部１６ａには、図２に示す如き除染対象室５の絶対湿度ｘと、除染対象室５における過酸化水素ガス濃度ｃ（＝ｃ１，ｃ２，…）と、除染対象室５における過酸化水素ガスＧの凝縮温度ｔｄとの三者の相関データＤ（ｘ，ｃ，ｔｄ）を記憶させてある。
【００５４】
そして、この制御器１６は次の（イ）〜（ニ）の制御動作を実行する構成にしてある。
【００５５】
（イ）除染運転の開始指令が付与されると、搬送ファン３及び排気ファン１２の運転を開始して、キャリア空気ＣＡとしての新鮮外気ＯＡを給気路２−ガス発生器１−ガス搬送路４を通じて除染対象室５に供給するとともに、除染対象室５の室内空気ＲＡを排気路１１を通じて外部に排出する状態にする。
【００５６】
また、これに併行して、搬送ファン３や排気ファン１２のファンモータに対するインバータ制御（あるいは風量調整ダンパに対する開度制御など）により、キャリア空気ＣＡとしての新鮮外気ＯＡの供給風量（厳密には過酸化水素ガスＧの供給風量を含む）と排気路１１を通じて外部に排出する室内空気ＲＡの排気風量とがほぼ等しくなる状態にして、キャリア空気ＣＡとしての新鮮外気ＯＡの全風量を除染対象室５に対し一過的に通過させる状態にする。
【００５７】
なお、この風量調整は、風量調整ダンパに対する人為的な開度調整操作により行なってもよい。
【００５８】
つまり、このようにキャリア空気ＣＡとしての新鮮外気ＯＡを除染対象室５に対し一過的に通過させることにより、ガス発生器１での過酸化水素水溶液Ｌの蒸発に伴う水分発生（即ち溶媒水の蒸発）や、発生後における除染対象室５などでの過酸化水素ガスＧの分解による水分発生（２Ｈ2Ｏ2→２Ｈ2Ｏ＋Ｏ2）に対し、それら発生水分をキャリア空気ＣＡとしての新鮮外気ＯＡとともに除染対象室５から迅速に除去し、これにより、それら水分発生に原因して除染対象室５の絶対湿度ｘが上昇するのを防止する。
【００５９】
（ロ）この状態で、給液路８の流量調整弁８ａを開弁するとともに、圧縮空気路９の流量調整弁９ａを開弁して、ガス発生器１における噴出器１０から過酸化水素水溶液Ｌ及び圧縮空気ＰＡを噴出させてガス発生器１で過酸化水素ガスＧを発生させ、その発生過酸化水素ガスＧをキャリア空気ＣＡとしての新鮮外気ＯＡとともに除染対象室５に供給することで、除染対象室５における過酸化水素ガス濃度ｃを徐々に高める。
【００６０】
そして、濃度計測器１３による除染対象室５の計測濃度ｃが除染の目標濃度ｃｍに上昇すると、濃度計測器１３による計測濃度ｃと目標濃度ｃｍとに基づき、給液路８及び圧縮空気路９の流量調整弁８ａ，９ａを調整してガス発生器１での過酸化水素ガスＧの発生量を調整することで、除染対象室５における過酸化水素ガス濃度ｃを目標濃度ｃｍに調整維持する。
【００６１】
つまり、制御器１６は、ガス発生器１での過酸化水素ガスＧの発生量を調整して除染対象室５における過酸化水素ガス濃度ｃを除染の目標濃度ｃｍに調整する濃度制御手段として機能する。
【００６２】
（ハ）一方、この濃度調整に併行して、湿度計測器１４による除染対象室５の計測絶対湿度ｘと上記目標濃度ｃｍとを、前記した記憶部１６ａにおける三者の相関データＤ（ｘ，ｃ，ｔｄ）に照合する形態で、計測絶対湿度状態でかつ過酸化水素ガス濃度ｃが目標濃度ｃｍにある状態での除染対象室５における過酸化水素ガスＧの凝縮温度ｔｄを逐次演算して、その演算ごとに、演算凝縮温度ｔｄより所定の見込み温度差Δｔだけ高い温度を目標温度ｔｍ（＝ｔｄ＋Δｔ）として設定する。
【００６３】
また、この目標温度ｔｍの逐次設定に対し、温度計測器１５による除染対象室５の計測温度ｔとそのときの目標温度ｔｍとに基づき、給気路２に装備したキャリア空気加熱手段としての空気加熱器６の加熱出力を調整することで、除染対象室５の温度ｔをそのときの目標温度ｔｍに調整する。
【００６４】
つまり、制御器１６は、計測絶対湿度状態でかつ過酸化水素ガス濃度ｃが目標濃度ｃｍにある状態での除染対象室５における過酸化水素ガスＧの凝縮温度ｔｄを演算して、除染対象室５の温度ｔを演算凝縮温度ｔｄより見込み温度差Δｔだけ高い目標温度ｔｍに調整する温度制御手段としても機能する。
【００６５】
そして、このように除染対象室５の温度ｔをそのときの目標温度ｔｍに調整することで、除染対象室５における過酸化水素ガス濃度ｃを目標濃度ｃｍに調整して除染対象室５を乾式除染することにおいて、除染対象室５で過酸化水素ガスＧの凝縮が生じることを確実に防止し、また、そのことで、ガス発生器１に供給するキャリア空気ＣＡを除湿する除湿手段を不要にする。
【００６６】
ここで、見込み温度差Δｔは、除染対象室５の温度ｔと除染対象室５における各部表面温度ｔｓとの温度差や、キャリア空気ＣＡとする外気ＯＡの湿度変動に原因する除染対象室５における過酸化水素ガス凝縮温度ｔｄの変動幅などを考慮して決定した安全上の温度差であり、上記温度調整において除染対象室５の温度ｔを演算凝縮温度ｔｄより見込み温度差Δｔだけ高い目標温度ｔｍに調整することで、除染対象室５内における表面温度ｔｓの低い箇所で過酸化水素水素ガスＧの凝縮が局部的に生じることや、外気ＯＡの湿度変動に伴う過酸化水素ガス凝縮温度ｔｄの変動が原因で過酸化水素ガスＧの室内凝縮を不測に招くことなども確実に防止する。
【００６７】
また、図２に示す如く、除染対象室５における絶対湿度ｘの変動幅Δｘが同じでも、その絶対湿度ｘの変動に伴う過酸化水素ガス凝縮温度ｔｄの変動幅Δｔｄは、除染対象室５の絶対湿度ｘが低いほど大きくなることから、制御器１６は、湿度計測器１４による除染対象室５の計測絶対湿度ｘが低いほど、見込み温度差Δｔを大きくする構成にしてあり、これにより、上記の如く除染対象室５での過酸化水素ガスＧの凝縮を確実に防止しながらも、空気加熱器６の消費エネルギを極力低減する。
【００６８】
（ニ）除染対象室５における過酸化水素ガスｃを目標濃度ｃｍに維持する状態を設定除染時間Ｔにわたって継続すると、その後、除染運転の終了工程として、ガス発生器１での過酸化水素ガスＧの発生を停止した状態で搬送ファン３及び排気ファン１２を運転して、キャリア空気ＣＡとしての新鮮外気ＯＡのみを除染対象室５に対して一過的に通過させ、これにより、除染対象室５における過酸化水素ガス濃度ｃを能率良く低下させる。
【００６９】
また、この終了工程でも、上記した除染対象室５の温度調整を継続して、除染対象室５での過酸化水素ガスＧの凝縮を防止する。
【００７０】
そして、濃度計測器１３による除染対象室５の計測過酸化水素ガス濃度ｃが所定の安全濃度ｃｓまで低下すると、空気加熱器６の運転を停止するとともに、搬送ファン３及び排気ファン１２の運転を停止して除染運転を終了し、次の除染運転の開始指令を待つ状態に入る。
【００７１】
〔別の実施形態〕
次に本発明の別実施形態を列記する。
【００７２】
前述の実施形態では、キャリア空気加熱手段としての空気加熱器６を除染対象室用の加熱手段として兼用する例を示したが、除染対象室５の温度を調整するための加熱手段は除染対象室５において加熱作用するものなど、どのような加熱方式のものであってもよい。
【００７３】
前述の実施形態では、計測絶対湿度状態でかつ過酸化水素ガス濃度ｃが目標濃度ｃｍにある状態での除染対象室５における過酸化水素ガスＧの凝縮温度ｔｄを演算し、この演算凝縮温度ｔｄより高い温度に除染対象室５の温度ｔを調整するようにしたが、これに加えて、計測絶対湿度状態でかつ過酸化水素ガス濃度ｃが計測濃度にある状態での除染対象室５における過酸化水素ガスＧの凝縮温度ｔｄ′を演算して、前者の演算凝縮温度ｔｄより後者の演算凝縮温度ｔｄ′の方が高い場合は、その後者の演算凝縮温度ｔｄ′より高い温度に除染対象室５の温度ｔを調整するようにしてもよい。
【００７４】
即ち、このようにすれば、除染対象室５における過酸化水素ガス濃度ｃが何らかの原因で目標濃度ｃｍより高くなった場合でも、除染対象室５での過酸化水素ガスＧの凝縮を防止することができる。
【００７５】
除染対象室５の絶対湿度ｘを計測する湿度計測手段１３は、除染対象室５における絶対湿度ｘを直接的に計測するものに限らず、除染対象室５の計測相対湿度ｒと計測温度ｔとに基づき除染対象室５における絶対湿度ｘを求めるものなどであってもよい。
【００７６】
また、前述の実施形態では、除染対象室５の絶対湿度ｘと、除染対象室５における過酸化水素ガス濃度ｃと、除染対象室５における過酸化水素ガスＧの凝縮温度ｔｄとの三者の相関データＤ（ｘ，ｃ，ｔｄ）を記憶させておき、湿度計測手段１３による計測絶対湿度ｘと目標濃度ｃｍとをその相関データＤ（ｘ，ｃ，ｔｄ）に照合する形態で、計測絶対湿度状態でかつ過酸化水素ガス濃度ｃが目標濃度ｃｍにある状態での除染対象室５における過酸化水素ガスＧの凝縮温度ｔｄを演算する例を示したが、これに代え、除染対象室５の絶対湿度ｘと、除染対象室５における過酸化水素ガス濃度ｃの目標濃度ｃｍと、除染対象室５における過酸化水素ガスＧの凝縮温度ｔｄとの三者の相関データＤ′（ｘ，ｃｍ，ｔｄ）を記憶させておき、この相関データＤ′に湿度計測手段１３による計測絶対湿度ｘを照合する形態で、計測絶対湿度状態でかつ過酸化水素ガス濃度ｃが目標濃度ｃｍにある状態での除染対象室５における過酸化水素ガスＧの凝縮温度ｔｄを演算するようにしてもよい。
【００７７】
また、これら相関データＤ，Ｄ′は、データテーブルの如きもの、あるいは、関数式の如きものなど、どのような形態のものであっておよい。
【産業上の利用可能性】
【００７８】
本発明は、過酸化水素ガスを除染用ガスとして種々の分野で実施する除染に利用することができる。
【符号の説明】
【００７９】
１                ガス発生手段
２                給気路
ＣＡ              キャリア空気
Ｌ                過酸化水素水溶液
Ｇ                過酸化水素ガス
４                ガス搬送路
５                除染対象室
６                加熱手段、キャリア空気加熱手段
ｃ                過酸化水素ガス濃度
ｃｍ              目標濃度
ｘ                絶対湿度
ｔｄ              凝縮温度
ｔ                温度
ＯＡ              新鮮空気
ＲＡ              室内空気
１１              排気路
１４              湿度計測手段
１５              温度計測手段
１６              濃度制御手段，温度制御手段
Δｔ              見込み温度差
ｔｍ              目標温度
Ｄ                相関データ
１６ａ            記憶手段
ＰＡ              圧縮空気
【図１】
0005862884.tif 000002
【図２】
0005862884.tif 000003
【図３】
0005862884.tif 000004